(57)【要約】【課題】できるだけ画像を縮小しないで携帯電話等の携帯端末装置に表示できるようにする。【解決手段】端末装置２に画像データベース１１に保管された画像データの一覧を表示し、携帯電話４の待ち受け画面に設定したい画像データの選択を受け付ける。一方、加工された画像データの送信先携帯電話の機種および送信先アドレスの入力を受け付け、さらに、選択された画像データを端末装置２に表示する。表示された画像には、入力された携帯電話４の機種に応じた画面領域が表示される。画面領域は縦長および横長のいずれにも設定できる。画面領域に基づく領域を指定すると、指定された領域に基づいて画像データを加工して加工済み画像データを得る。この際、画面領域が横長に設定されると、指定した領域内の画像を携帯電話４の縦長の液晶画面４１に合わせて回転して加工済み画像データＳ２を生成する。【選択図】          図１
2004151284.tif 000002
【特許請求の範囲】
【請求項１】
携帯端末装置における短辺および長辺を有する矩形の表示画面に表示すべく画像データを加工して加工済み画像データを取得する画像加工方法において、
前記画像データにより表される画像の長辺が前記表示画面の長辺と一致するよう前記画像データを加工して前記加工済み画像データを取得することを特徴とする画像加工方法。
【請求項２】
携帯端末装置における短辺および長辺を有する矩形の表示画面に表示すべく画像データを加工して加工済み画像データを取得する画像加工方法において、
前記画像データを前記携帯端末装置の表示画面のアスペクト比に対応するアスペクト比を有する画面領域とともに表示し、
前記画面領域の位置、該画面領域の長辺の方向および／またはサイズの変更の指定を受け付け、
前記画像データにより表される画像から前記指定された画面領域に基づく領域を切り出すとともに、該切り出された領域内の画像の長辺が前記表示画面の長辺と一致するよう前記画像データを加工して前記加工済み画像データを取得することを特徴とする画像加工方法。
【請求項３】
携帯端末装置における短辺および長辺を有する矩形の表示画面に表示すべく画像データを加工して加工済み画像データを取得する画像加工装置において、
前記画像データにより表される画像の長辺が前記表示画面の長辺と一致するよう前記画像データを加工して前記加工済み画像データを取得する加工手段を備えたことを特徴とする画像加工装置。
【請求項４】
携帯端末装置における短辺および長辺を有する矩形の表示画面に表示すべく画像データを加工して加工済み画像データを取得する画像加工装置において、
前記画像データを前記携帯端末装置の表示画面のアスペクト比に対応するアスペクト比を有する画面領域とともに表示する表示手段と、
前記画面領域の位置、該画面領域の長辺の方向および／またはサイズの変更の指定を受け付ける変更指定受け付け手段と、
前記画像データにより表される画像から前記指定された画面領域に基づく領域を切り出すとともに、該切り出された領域内の画像の長辺が前記表示画面の長辺と一致するよう前記画像データを加工して前記加工済み画像データを取得する加工手段とを備えたことを特徴とする画像加工装置。
【請求項５】
携帯端末装置における短辺および長辺を有する矩形の表示画面に表示すべく画像データを加工して加工済み画像データを取得する画像加工方法をコンピュータに実行させるためのプログラムにおいて、
前記画像データにより表される画像の長辺が前記表示画面の長辺と一致するよう前記画像データを加工して前記加工済み画像データを取得する手順を有するプログラム。
【請求項６】
携帯端末装置における短辺および長辺を有する矩形の表示画面に表示すべく画像データを加工して加工済み画像データを取得する画像加工方法をコンピュータに実行させるためのプログラムにおいて、
前記画像データを前記携帯端末装置の表示画面のアスペクト比に対応するアスペクト比を有する画面領域とともに表示する手順と、
前記画面領域の位置、該画面領域の長辺の方向および／またはサイズの変更の指定を受け付ける手順と、
前記画像データにより表される画像から前記指定された画面領域に基づく領域を切り出すとともに、該切り出された領域内の画像の長辺が前記表示画面の長辺と一致するよう前記画像データを加工して前記加工済み画像データを取得する手順とを有するプログラム。
【発明の詳細な説明】
【０００１】
【発明の属する技術分野】
本発明は、携帯電話のような携帯端末装置の表示画面に表示する画像を加工する画像加工方法および装置並びに画像加工方法をコンピュータに実行させるためのプログラムに関するものである。
【０００２】
【従来の技術】
携帯電話を用いて、テキストデータ、画像データ、音声データ等のコンテンツデータをダウンロードするウェブサイトにアクセスすることにより、ウェブサイトから携帯電話にコンテンツデータをダウンロードすることが行われている。とくに携帯電話に画像データをダウンロードすれば、携帯電話のユーザは所望とする待ち受け画面や着信画面等（以下待ち受け画面等とする）を携帯電話に設定することが可能となる。
【０００３】
しかしながら、携帯電話の仕様（表示できる画像のフォーマット、携帯電話に設けられている液晶画面の画面サイズ、表示可能な色数等）は、携帯電話の機種に応じて異なる。このため、携帯電話の仕様に応じた画像データをウェブサイトの画像サーバに保管しておき、ウェブサイトにアクセスした携帯電話の仕様を判別し、判別された仕様に応じた画像データを画像サーバから読み出して携帯電話に送信するようにしたシステムが提案されている（特許文献１参照）。特許文献１に記載されたシステムによれば、携帯電話のユーザは、画像データのリクエストを行うのみで、携帯電話の仕様に適した画像データを携帯電話にダウンロードして表示することができる。
【０００４】
一方、パソコン等の端末装置において、デジタルカメラ等を用いて自身が撮影した画像から所望とする領域を切り出し、これを携帯電話の待ち受け画面等に設定するために携帯電話のメールアドレスに送信するシステムも知られている。このシステムによれば、携帯電話のユーザが所望とする画像を携帯電話の待ち受け画面等に設定することができる。
【０００５】
【特許文献１】
特開２００２−２４４９７１号公報
【０００６】
【発明が解決しようとする課題】
ところで、待ち受け画面等として設定する画像データはデジタルカメラや携帯電話に設けられたカメラにより取得されたものであることが多いが、このようなカメラを用いて撮影を行うことにより取得される画像は、それを正視したときに横方向の辺が長くなる横長の画像であることが多い。これに対して、携帯電話の液晶画面は通常の使用状態において縦方向の辺が長くなる縦長であることが多い。このため、横長の画像を正視可能なように携帯電話の液晶画面に表示すると、図１３に示すように液晶画面の短い方の辺（短辺）と画像の長い方の辺（長辺）とを一致させる必要があるため、画像が縮小されて見にくいものとなってしまう。
【０００７】
本発明は上記事情に鑑みなされたものであり、できるだけ画像を縮小しないで携帯電話等の携帯端末装置に表示できるようにすることを目的とする。
【０００８】
【課題を解決するための手段】
本発明による第１の画像加工方法は、携帯端末装置における短辺および長辺を有する矩形の表示画面に表示すべく画像データを加工して加工済み画像データを取得する画像加工方法において、
前記画像データにより表される画像の長辺が前記表示画面の長辺と一致するよう前記画像データを加工して前記加工済み画像データを取得することを特徴とするものである。
【０００９】
本発明による第２の画像加工方法は、携帯端末装置における短辺および長辺を有する矩形の表示画面に表示すべく画像データを加工して加工済み画像データを取得する画像加工方法において、
前記画像データを前記携帯端末装置の表示画面のアスペクト比に対応するアスペクト比を有する画面領域とともに表示し、
前記画面領域の位置、該画面領域の長辺の方向および／またはサイズの変更の指定を受け付け、
前記画像データにより表される画像から前記指定された画面領域に基づく領域を切り出すとともに、該切り出された領域内の画像の長辺が前記表示画面の長辺と一致するよう前記画像データを加工して前記加工済み画像データを取得することを特徴とするものである。
【００１０】
本発明による第１の画像加工装置は、携帯端末装置における短辺および長辺を有する矩形の表示画面に表示すべく画像データを加工して加工済み画像データを取得する画像加工装置において、
前記画像データにより表される画像の長辺が前記表示画面の長辺と一致するよう前記画像データを加工して前記加工済み画像データを取得する加工手段を備えたことを特徴とするものである。
【００１１】
本発明による第２の画像加工装置は、携帯端末装置における短辺および長辺を有する矩形の表示画面に表示すべく画像データを加工して加工済み画像データを取得する画像加工装置において、
前記画像データを前記携帯端末装置の表示画面のアスペクト比に対応するアスペクト比を有する画面領域とともに表示する表示手段と、
前記画面領域の位置、該画面領域の長辺の方向および／またはサイズの変更の指定を受け付ける変更指定受け付け手段と、
前記画像データにより表される画像から前記指定された画面領域に基づく領域を切り出すとともに、該切り出された領域内の画像の長辺が前記表示画面の長辺と一致するよう前記画像データを加工して前記加工済み画像データを取得する加工手段とを備えたことを特徴とするものである。
【００１２】
なお、本発明による第１および第２の画像加工方法をコンピュータに実行させるためのプログラムとして提供してもよい。
【００１３】
【発明の効果】
本発明の第１の画像加工方法および装置によれば、画像データにより表される画像の長辺と携帯端末装置の表示画面の長辺とが一致するように画像データが加工されて、加工済み画像データが取得される。ここで、携帯端末装置の表示画面は、通常の使用状態において縦方向の辺が長い縦長であることが多いため、横長で正視可能な画像は回転され、画像の長辺と携帯端末装置の表示画面の長辺とが一致されることとなる。
【００１４】
この場合、表示画面に表示される画像は通常の携帯端末装置の使用状態においては正視できないが、携帯端末装置を回転すれば表示画面に表示された画像を正視できる。したがって、画像の長辺を表示画面の短辺と一致させて表示する場合と比較して画像を大きく縮小する必要がなくなり、その結果、携帯端末装置の表示画面に表示される画像を見やすくすることができる。
【００１５】
本発明の第２の画像加工方法および装置によれば、画像データが携帯端末装置の表示画面のアスペクト比に応じたアスペクト比を有する画面領域とともに携帯端末装置に表示される。そして、画面領域の位置、画面領域の長辺の方向および／またはサイズの変更の指定が受け付けられ、画像データにより表される画像から指定された画面領域に基づく領域が切り出されるととともに、切り出された領域の長辺が携帯端末装置の表示画面の長辺と一致するように画像データが加工されて、加工済み画像データが取得される。ここで、携帯端末装置の表示画面は、縦方向の辺が長い縦長であることが多いため、切り出された領域が横長で正視可能な画像である場合、切り出された領域が回転されて領域内の画像の長辺と携帯端末装置の表示画面との長辺とが一致されることとなる。
【００１６】
この場合、表示画面に表示される画像は通常の携帯端末装置の使用状態においては正視できないが、携帯端末装置を回転すれば表示画面に表示された画像を正視できる。したがって、画像の長辺を表示画面の短辺と一致させて表示する場合と比較して画像を大きく縮小する必要がなくなり、その結果、携帯端末装置の表示画面に表示される画像を見やすくすることができる。
【００１７】
【発明の実施の形態】
以下図面を参照して本発明の実施形態について説明する。図１は本発明の第１の実施形態による画像加工装置を備えた画像加工システムの構成を示す概略ブロック図である。図１に示すように第１の実施形態による画像加工システムは、サーバシステム１と一般電話回線等のネットワーク３を介して接続されたパソコン等の複数の端末装置２と、携帯電話通信網５を介して接続された複数の携帯電話４との間で情報のやり取りを行うものである。
【００１８】
サーバシステム１は、ネットワーク３を介して端末装置２と通信を行う通信インターフェース１０と、端末装置２からアップロードされた複数の画像データＳ０を保管する画像データベース１１と、後述する加工済み画像データを送信する携帯電話４の機種の入力、加工済み画像データの送信先アドレスの入力および選択した画像データにより表される選択画像における領域の指定等を行うウェブページを生成して端末装置２に表示するウェブサーバ１２と、選択された画像データを加工して加工済み画像データを取得する加工手段１３と、加工済み画像データを指定された送信先アドレスに送信すべく携帯電話通信網５と接続されたメールサーバ１４と、携帯電話４の機種に応じた液晶画面の仕様を記憶した画像加工テーブル１５とを備える。
【００１９】
端末装置２は、種々の表示を行うためのモニタ２１およびキーボードやマウス等からなる入力手段２２を備える。また、端末装置２には、ウェブブラウザおよびデジタルカメラにより取得された画像データを整理するための画像整理アプリケーションがインストールされている。端末装置２のユーザは、デジタルカメラにより取得した画像データ（Ｓ０とする）を画像整理アプリケーションを利用した端末装置２に取り込み、ネットワーク３を介してサーバシステム１にアップロードする。アップロードされた画像データＳ０は画像データベース１１に保管される。また、画像整理アプリケーションはウェブブラウザとリンクされており、画像整理アプリケーションの操作によりウェブブラウザが起動されて、端末装置２がサーバシステム１にアクセスして、後述するように画像データの選択や領域の指定等が行われる。
【００２０】
図２は画像加工テーブル１５を示す図である。図２に示すように、画像加工テーブル１５は、携帯電話４の機種と、液晶画面のサイズおよび表示可能な色数とが対応付けられてなるものである。ウェブサーバ１２は、端末装置２において入力された携帯電話４の機種に基づいて、画像加工テーブル１５を参照してその機種に応じたアスペクト比を有する画面領域を後述するように選択された画像データ（以下選択画像データＳ１とする）とともに端末装置２に表示する。
【００２１】
一方、加工手段１３は、画像加工テーブル１５を参照して、後述するように端末装置２において指定された領域に基づいて、選択画像データＳ１を加工して、指定された携帯電話４の機種に応じたサイズおよび色数を有する加工済み画像データＳ２を生成してメールサーバ１４に記憶する。また、この際、指定された領域内の画像の長辺が携帯電話４の液晶画面４１の長辺と一致するように加工済み画像データＳ２が生成される。
【００２２】
メールサーバ１４は、加工済み画像データＳ２を保管するとともに、保管場所のＵＲＬを記述したメールを端末装置２が指定した送信先アドレスに送信する。そして、送信先アドレスに対応する携帯電話４においてＵＲＬの指定がなされると、指定されたＵＲＬに保管された加工済み画像データＳ２をその携帯電話４に送信する。
【００２３】
携帯電話４は、画像データ、ウェブページおよび電話番号等、種々の情報の表示を行う液晶画面４１を備える。液晶画面４１は携帯電話４を通常使用する状態において縦方向の辺が長くなるように構成されている。この状態を液晶画面４１が縦長であるとする。
【００２４】
次いで、第１の実施形態の動作について説明する。図３は第１の実施形態において行われる処理を示すフローチャートである。なお、端末装置２からは画像データがサーバシステム１に送信されて、送信された画像データが画像データベース１１に保管されているものとする。
【００２５】
まず、端末装置２において画像整理アプリケーションが起動され（ステップＳ１）、画像整理画面が端末装置２に表示される（ステップＳ２）。続いて、サーバシステム１へのアクセスがなされたか否かの監視が開始され（ステップＳ３）、ステップＳ３が肯定されると、画像データベース１１に保管された端末装置２のユーザの画像データのサムネイル画像の一覧を含む画像選択画面が端末装置２に表示される（ステップＳ４）。
【００２６】
図４はサムネイル画像の一覧を含む画像選択画面を示す図である。図４に示すように画像選択画面３０には、サムネイル画像の一覧３０Ａと、種々の作業をサーバシステム１に行わせるための複数の指示ボタンからなる指示ボタン群３０Ｂとが表示される。指示ボタン群３０Ｂには、選択画像データＳ１の加工の指示を行うための加工指示ボタン３０Ｃが含まれる。
【００２７】
端末装置２のユーザは、一覧３０Ａから携帯電話４の待ち受け画面として設定したい画像を入力手段２２を用いて選択する。そして、画像の選択後、加工指示ボタン３０Ｃがクリックされたか否かの監視が開始され（ステップＳ５）、ステップＳ５が肯定されるとウェブブラウザが起動され（ステップＳ６）、サーバシステム１に加工指示が送信される（ステップＳ７）。なお、加工指示はユーザが選択した画像データを特定する情報を含む。
【００２８】
サーバシステム１のウェブサーバ１２においては、待ち受け画面の加工を端末装置２のユーザに案内する案内画面が生成され（ステップＳ８）、案内画面が端末装置２に表示される（ステップＳ９）。
【００２９】
図５は案内画面を示す図である。図５に示すように案内画面３１には、加工の手順を示すフローチャート３１Ａと、加工を開始させるための開始ボタン３１Ｂとが表示される。
【００３０】
そして、案内画面３１の開始ボタン３１Ｂがクリックされたか否かの監視が開始され（ステップＳ１０）、ステップＳ１０が肯定されると、作成された加工済み画像データＳ２の送信先アドレスの入力画面がウェブサーバ１２により生成され（ステップＳ１１）、送信先アドレス入力画面が端末装置２に表示される（ステップＳ１２）。
【００３１】
図６は送信先アドレス入力画面を示す図である。図６に示すように送信先アドレス入力画面３２には、送信先アドレスを入力する送信先アドレス入力ボックス３２Ａと、送信者である端末装置２のユーザのメールアドレスを入力する送信者アドレス入力ボックス３２Ｂと、タイトルを入力するタイトル入力ボックス３２Ｃと、メール本文を入力するメール本文入力ボックス３２Ｄと、加工を中止するための中止ボタン３２Ｅと、送信先アドレス入力画面３２に入力された内容を確定させるためのＯＫボタン３２Ｆとが表示される。
【００３２】
端末装置２のユーザは、送信先アドレス入力ボックス３２Ａに待ち受け画面を送信したい携帯電話４の送信先アドレスを入力し、送信者アドレス入力ボックス３２Ｂに送信者であるユーザのメールアドレスを入力し、タイトル入力ボックス３２Ｃにメールのタイトルを入力し、メール本文入力ボックス３２Ｆにメール本文を入力する。なお、待ち受け画面の加工を中止する場合は中止ボタン３２Ｅをクリックする。
【００３３】
ステップＳ１２に続いて、ＯＫボタン３２Ｆがクリックされたか否かの監視が開始され（ステップＳ１３）、ステップＳ１３が肯定されると、送信先の携帯電話４の機種を選択する機種選択画面がウェブサーバ１２により生成され（ステップＳ１４）、機種選択画面が端末装置２に表示される（ステップＳ１５）。
【００３４】
図７は機種選択画面を示す図である。図７に示すように機種選択画面３３には、携帯電話４の製造メーカー各社が販売している携帯電話４の機種名の一覧３３Ａが表示される。一覧３３Ａにおける機種名にはチェックボックス３３Ｂが付与されている。また、加工を中止するための中止ボタン３３Ｃと、選択した機種を確定させるためのＯＫボタン３３Ｄとが表示される。
【００３５】
端末装置２のユーザは、一覧３３Ａにおいて、加工済み画像データＳ２を送信する携帯電話４の機種に対応するチェックボックス３３Ｂをチェックすることにより機種名を選択する。ここで、図７においては携帯電話４の機種としてＮ５０４ｉが選択された状態を示している。なお、待ち受け画面の加工を中止する場合は中止ボタン３３Ｃをクリックする。
【００３６】
ステップＳ１５に続いて、ＯＫボタン３３Ｄがクリックされたか否かの監視が開始され（ステップＳ１６）、ステップＳ１６が肯定されると、選択画像データＳ１から所望とする領域を指定するための領域指定画面がウェブサーバ１２により生成され（ステップＳ１７）、領域指定画面が端末装置２に表示される（ステップＳ１８）。
【００３７】
図８は領域選択画面を示す図である。図８に示すように、領域指定画面３４には、選択画像データＳ１により表される選択画像３４Ａと、加工を中止するための中止ボタン３４Ｂと、選択した領域を確定させるためのＯＫボタン３４Ｃとが表示される。また、選択画像３４Ａには、機種選択画面３３において選択した携帯電話４の液晶画面４１に対応するアスペクト比を有する画面領域３４Ｄが表示される。さらに、領域指定画面３４には、画面領域３４Ｄを縦長に表示するか横長に表示するかを設定するチェックボックス３４Ｅが表示される。
【００３８】
端末装置２のユーザは、領域指定画面３４の選択画像３４Ａにおいて画面領域３４Ｄの移動および拡大縮小を行い、待ち受け画面として設定したい領域を指定する。なお、画面領域３４Ｄの移動は、画面領域３４Ｄのクリックアンドドロップにより行うことができる。また、画面領域３４Ｄの拡大縮小は、画面領域３４Ｄの四隅のクリックアンドドロップにより行うことができる。この際、図９に示すように、画面領域３４Ｄはアスペクト比が維持された状態で拡大縮小がなされる。なお、待ち受け画面の加工を中止する場合は中止ボタン３４Ｂをクリックする。
【００３９】
さらに、チェックボックス３４Ｅにおける「縦長」または「横長」をチェックすることにより、画面領域３４Ｄを縦長または横長に設定して待ち受け画面として設定したい領域を指定する。なお、図８においては、画面領域３４Ｄを横長に設定した状態を示している。
【００４０】
ステップＳ１８に続いて、ＯＫボタン３４Ｃがクリックされたか否かの監視が開始され（ステップＳ１９）、ステップＳ１９が肯定されると、ウェブサーバ１２により確認画面が生成され（ステップＳ２０）、確認画面が端末装置２に表示される（ステップＳ２１）。
【００４１】
図１０は確認画面を示す図である。図１０に示すように確認画面３５には、領域指定画面３４において指定した領域の画像３５Ａと、送信先アドレス、送信者アドレス、タイトルおよびメール本文の一覧３５Ｂと、加工を中止するための中止ボタン３５Ｃと、内容を確定させるためのＯＫボタン３５Ｄとが表示される。
【００４２】
端末装置２のユーザは、確認画面３５の画像３５Ａにより待ち受け画面として携帯電話４に送信される画像の内容を、一覧３５Ｂにより送信先アドレス、送信者アドレス、タイトルおよびメール本文を確認することができる。なお、待ち受け画面の加工を中止する場合は中止ボタン３５Ｃをクリックする。
【００４３】
ここで、図８に示す領域選択画面３４において、画面領域３４Ｄは横長に設定されているため、選択画像データＳ１により表される画像からは横長の領域が切り出されて加工済み画像データＳ２が生成される。一方、携帯電話４の液晶画面４１は通常の使用状態において縦長となるように構成されている。このため、選択画像データＳ１により表される画像から切り出された領域は、携帯電話４の液晶画面４１に合わせて縦長となるように回転されて確認画面３５に表示される。なお、回転の方向は時計回り方向および反時計回り方向のいずれの方向でもよい。
【００４４】
ステップＳ２１に続いて、ＯＫボタン３５Ｄがクリックされたか否かの監視が開始され（ステップＳ２２）、ステップＳ２２が肯定されると、加工手段１３により選択画像データＳ１から領域指定画面３４において指定された領域が切り出されるとともに、選択された携帯電話４の液晶画面４１のサイズに適合するように拡大縮小され、さらに、第１の実施形態においては、画面領域３４Ｄが横長に設定されているため、切り出された領域が縦長の画像となるように回転されて加工済み画像データＳ２が生成される（ステップＳ２３）。加工済み画像データＳ２はメールサーバ１４に保管され（ステップＳ２４）、処理を終了する。なお、加工済み画像データＳ２のメールサーバ１４への保管後、ウェブサーバ１２により完了画面を生成して端末装置２に完了画面を表示してもよい。
【００４５】
加工済み画像データＳ２がメールサーバ１４への保管されると、メールサーバ１４は端末装置２のユーザが入力した送信先アドレスに、タイトルおよびメール本文とともに、加工済み画像データＳ２の保管場所を示すＵＲＬが記述された電子メールを送信する。送信先アドレスに対応する携帯電話４により電子メールが受信されると、携帯電話４のユーザは電子メールに記述されたＵＲＬにアクセスすることにより、加工済み画像データＳ２を携帯電話４にダウンロードして待ち受け画面に設定することができる。
【００４６】
なお、加工済み画像データＳ２は、加工済み画像データＳ２により表される画像の長辺と液晶画面４１の長辺とが一致した状態で液晶画面４１に表示される。ここで、第１の実施形態においては、選択画像データＳ１により表される画像から横長の領域が切り出されているため、携帯電話４の液晶画面４１には、図１１に示すように切り出された領域内の画像が回転されて、この画像の長辺と液晶画面４１の長辺とが一致した状態で加工済み画像データＳ２が待ち受け画面として設定されることとなる。
【００４７】
このように、第１の実施形態においては、選択画像データＳ１により表される画像から切り出された領域内の画像の長辺と、液晶画面４１の長辺とが一致するように加工済み画像データＳ２を生成しているため、加工済み画像データＳ２により表される画像の長辺を液晶画面４１の短辺と一致させて表示する場合と比較して、画像を大きく縮小する必要がなくなり、その結果、画像中の所望とする領域を見やすく携帯電話４の液晶画面４１に表示することができる。
【００４８】
なお、図１１に示すように液晶画面４１に画像が表示されると、携帯電話４の通常の使用形態においては、液晶画面４１に表示された画像は正視できない。しかしながら、携帯電話４は容易に回転することができるため、携帯電話４を回転すれば液晶画面４１に表示された画像は正視できることとなる。
【００４９】
次いで、本発明の第２の実施形態について説明する。なお、第２の実施形態による画像加工装置を備えた画像加工システムの構成は、第１の実施形態による画像加工装置を備えた画像加工システムの構成と同一であるため、詳細な説明は省略する。第２の実施形態においては、画像データＳ０から選択した選択画像データＳ１が横長の状態で正視できる画像を表すものである場合に、選択画像データＳ１を右回りあるいは左回りに９０度回転して縦長の画像を表す加工済み画像データＳ２を生成し、これを携帯電話４に送信するようにしたものである。
【００５０】
図１２は第２の実施形態において行われる処理を示すフローチャートである。なお、第１の実施形態と同様に、端末装置２からは画像データがサーバシステム１に送信されて、送信された画像データが画像データベース１１に保管されているものとする。
【００５１】
まず、端末装置２において画像整理アプリケーションが起動され（ステップＳ３１）、画像整理画面が端末装置２に表示される（ステップＳ３２）。続いて、サーバシステム１へのアクセスがなされたか否かの監視が開始され（ステップＳ３３）、ステップＳ３３が肯定されると、図４に示すように端末装置２のユーザの画像データのサムネイル画像の一覧を含む画像選択画面３０が端末装置２に表示される（ステップＳ３４）。
【００５２】
端末装置２のユーザは、画像選択画面３０の一覧３０Ａから携帯電話４の待ち受け画面として設定したい画像を入力手段２２を用いて選択する。そして、画像の選択後、加工指示ボタン３０Ｃがクリックされたか否かの監視が開始され（ステップＳ３５）、ステップＳ３５が肯定されるとウェブブラウザが起動され（ステップＳ３６）、サーバシステム１に加工指示が送信される（ステップＳ３７）。なお、加工指示はユーザが選択した画像データを特定する情報を含む。
【００５３】
サーバシステム１のウェブサーバ１２においては、待ち受け画面の加工を端末装置２のユーザに案内する案内画面が生成され（ステップＳ３８）、図５に示す案内画面３１が端末装置２に表示される（ステップＳ３９）。
【００５４】
そして、案内画面３１の開始ボタン３１Ｂがクリックされたか否かの監視が開始され（ステップＳ４０）、ステップＳ４０が肯定されると、選択画像データＳ１の送信先アドレスの入力画面がウェブサーバ１２により生成され（ステップＳ４１）、図６に示す送信先アドレス入力画面３２が端末装置２に表示される（ステップＳ４２）。
【００５５】
端末装置２のユーザは、送信先アドレス入力画面３２の送信先アドレス入力ボックス３２Ａに待ち受け画面を送信したい携帯電話４の送信先アドレスを入力し、送信者アドレス入力ボックス３２Ｂに送信者であるユーザのメールアドレスを入力し、タイトル入力ボックス３２Ｃにメールのタイトルを入力し、メール本文入力ボックス３２Ｆにメール本文を入力する。なお、待ち受け画面の加工を中止する場合は中止ボタン３２Ｅをクリックする。
【００５６】
ステップＳ４２に続いて、ＯＫボタン３２Ｆがクリックされたか否かの監視が開始され（ステップＳ４３）、ステップＳ４３が肯定されると、送信先の携帯電話４の機種を選択する機種選択画面がウェブサーバ１２により生成され（ステップＳ４４）、図７に示す機種選択画面３３が端末装置２に表示される（ステップＳ４５）。
【００５７】
端末装置２のユーザは、一覧３３Ａにおいて、加工済み画像データＳ２を送信する携帯電話４の機種に対応するチェックボックス３３Ｂをチェックすることにより機種名を選択する。なお、待ち受け画面の加工を中止する場合は中止ボタン３３Ｃをクリックする。
【００５８】
ステップＳ４５に続いて、機種選択画面３３のＯＫボタン３３Ｄがクリックされたか否かの監視が開始され（ステップＳ４６）、ステップＳ４６が肯定されると、ウェブサーバ１２により確認画面が生成され（ステップＳ４７）、図１０に示す確認画面３５が端末装置２に表示される（ステップＳ４８）。
【００５９】
ここで、選択画像データＳ１が横長の状態で正視できる画像を表すものである場合には、時計回り方向（または反時計回り方向）に９０度回転された選択画像データＳ１が画像３５Ａとして確認画面３５に表示される。
【００６０】
ステップＳ４８に続いて、ＯＫボタン３５Ｄがクリックされたか否かの監視が開始され（ステップＳ４９）、ステップＳ４９が肯定されると、加工手段１３により選択画像データＳ１に対して、携帯電話４の液晶画面４１に応じた表示色やサイズとなるように加工が施されて加工済み画像データＳ２が生成される（ステップＳ５０）。
【００６１】
なお、ステップＳ５０においては、選択画像データＳ１が横長の画像を表すものであるか否かを判定し、選択画像データＳ１が横長の画像を表すものである場合には、選択画像データＳ１により表される画像を９０度回転する処理も含む。ここで、画像データＳ０は端末装置２のユーザにより正視可能な状態とされてサーバシステム１にアップロードされる。すなわち、デジタルカメラ等により取得された画像データは全て横長の状態であるが、縦長の状態で正視可能な画像データについては９０度回転されて縦長とされてサーバシステム１にアップロードされる。このため、選択画像データＳ１により表される画像の縦方向および横方向の画素数を比較することにより、選択画像データＳ１が横長の画像を表すものであるか否かの判定を容易に行うことができる。
【００６２】
加工済み画像データＳ２はメールサーバ１４に保管され（ステップＳ５１）、処理を終了する。なお、加工済み画像データＳ２のメールサーバ１４への保管後、ウェブサーバ１２により完了画面を生成して端末装置２に完了画面を表示してもよい。
【００６３】
加工済み画像データＳ２がメールサーバ１４への保管されると、第１の実施形態と同様に、メールサーバ１４は端末装置２のユーザが入力した送信先アドレスに、タイトルおよびメール本文とともに、加工済み画像データＳ２の保管場所を示すＵＲＬが記述された電子メールを送信する。送信先アドレスに対応する携帯電話４により電子メールが受信されると、携帯電話４のユーザは電子メールに記述されたＵＲＬにアクセスすることにより、加工済み画像データＳ２を携帯電話４にダウンロードして待ち受け画面に設定することができる。
【００６４】
なお、加工済み画像データＳ２を液晶画面４１に表示すると、加工済み画像データＳ２により表される画像の長辺と液晶画面４１の長辺とが一致した状態となる。ここで、第２の実施形態においては、選択画像データＳ１が横長で正視できる画像を表すものである場合には選択画像データＳ１を回転しているため、携帯電話４の液晶画面４１には、選択画像データＳ１の正視可能な方向に拘わらず、加工済み画像データＳ２により表される画像の長辺と液晶画面４１の長辺とが一致した状態で待ち受け画面が設定されることとなる。
【００６５】
このように、第２の実施形態においては、加工済み画像データＳ２により表される画像の長辺と液晶画面４１の長辺とが一致した状態で画像を表示画面に表示することができるため、画像の長辺を液晶画面４１の短辺と一致させて表示する場合と比較して、画像を縮小する必要がなくなり、その結果、携帯電話４の液晶画面４１に表示される画像を見やすくすることができる。
【００６６】
ここで、第２の実施形態においても、携帯電話４の通常の使用形態においては、液晶画面４１に表示された画像は正視できない。しかしながら、携帯電話４は容易に回転することができるため、携帯電話４を回転すれば液晶画面４１に表示された画像は正視できることとなる。
【００６７】
なお、上記第１および第２の実施形態においては、端末装置２において画像データの選択および待ち受け画面に設定する領域の指定等を行っているが、携帯電話４から画像データの選択および待ち受け画面に設定する領域の指定等を行ってもよい。ここで、携帯電話４がサーバシステム１にアクセスする際には、ｈｔｔｐリクエストが携帯電話４からサーバシステム１に送信される。ｈｔｔｐリクエストには、携帯電話４からサーバシステム１への要求（例えば画像データの送信要求等）が含まれるとともに、携帯電話４の機種を表すユーザエージェントなる情報が含まれている。したがって、携帯電話４から領域の指定等の指示を行う際には、ユーザエージェントに基づいて、指示を行った携帯電話４の機種を特定できることとなる。よって、携帯電話４のユーザは機種を入力する必要がなくなり、その結果、待ち受け画面に設定する領域の指定等をより容易に行うことができる。
【００６８】
また、上記実施形態においては、加工済み画像データＳ２を携帯電話４に送信して携帯電話４の待ち受け画面に設定しているが、ＰＤＡ等の携帯端末装置の壁紙等に設定してもよい。この場合、携帯端末装置を有するユーザのメールアドレスおよび携帯端末装置の機種の機種の入力を受け付け、入力された携帯端末装置の表示画面のサイズ等に応じて選択画像データＳ１が加工され、必要であれば回転されて加工済み画像データＳ２が取得され、携帯端末装置のユーザのメールアドレスに送信されることとなる。
【図面の簡単な説明】
【図１】本発明の第１の実施形態による画像加工装置を備えた画像加工システムの構成を示す概略ブロック図
【図２】画像加工テーブルを示す図
【図３】第１の実施形態において行われる処理を示すフローチャート
【図４】サムネイル画像の一覧を含む画像整理画面を示す図
【図５】案内画面を示す図
【図６】送信先アドレス入力画面を示す図
【図７】機種選択画面を示す図
【図８】領域選択画面を示す図
【図９】画面領域が拡大縮小される状態を示す図
【図１０】確認画面を示す図
【図１１】携帯電話に待ち受け画面として設定された画像を示す図
【図１２】第２の実施形態において行われる処理を示すフローチャート
【図１３】従来例において携帯電話に待ち受け画面として設定された画像を示す図
【符号の説明】
１    サーバシステム
２    端末装置
３    ネットワーク
４    携帯電話
５    携帯電話通信網
１０    通信インターフェース
１１    画像データベース
１２    ウェブサーバ
１３    加工手段
１４    メールサーバ
１５    画像加工テーブル
【図１】
2004151284.tif 000003
【図２】
2004151284.tif 000004
【図３】
2004151284.tif 000005
【図４】
2004151284.tif 000006
【図５】
2004151284.tif 000007
【図６】
2004151284.tif 000008
【図７】
2004151284.tif 000009
【図８】
2004151284.tif 000010
【図９】
2004151284.tif 000011
【図１０】
2004151284.tif 000012
【図１１】
2004151284.tif 000013
【図１２】
2004151284.tif 000014
【図１３】
2004151284.tif 000015